(57)【要約】【課題】チャンネルの切替時に、無コンテンツの状態を挟むことなく表示装置の表示を切り替えできるデジタル放送受信装置を提供する。【解決手段】デジタル放送受信装置１では、２つのデコード部４１，４２を備え、異なる２つのチャンネルの受信信号のデコードを同時に実行することが可能となっている。チャンネルの切替指示を受け付けた直後は、出力切替部５は、２つのデコード部４１，４２の一方で得られる切替前の第１チャンネルのコンテンツ信号の表示装置６への出力を維持する。そして、２つのデコード部４１，４２の他方で切替後の第２チャンネルのコンテンツ信号の取得が可能となってから、出力切替部５は第２チャンネルのコンテンツ信号を表示装置６へ出力する。これにより、表示装置６においては、無コンテンツの状態を挟むことなく、第１チャンネルのコンテンツから第２チャンネルのコンテンツに瞬時に切り替えできる。【選択図】図１
2011029873.tif 000002
【特許請求の範囲】
【請求項１】
デジタル放送の放送信号を受信してコンテンツ信号を取得するデジタル放送受信装置であって、
互いに異なるチャンネルの放送信号を受信可能な複数のチューナと、
前記複数のチューナで得られる一のチャンネルの受信信号をデコードしてコンテンツ信号を取得する第１デコード手段と、
前記複数のチューナで得られる前記一のチャンネルとは異なるチャンネルの受信信号をデコードしてコンテンツ信号を取得する第２デコード手段と、
前記第１デコード手段及び前記第２デコード手段で得られたコンテンツ信号のいずれかを選択的にコンテンツ出力装置に出力する出力手段と、
ユーザからチャンネルの切替指示を受け付ける受付手段と、
を備え、
前記出力手段は、
前記切替指示を受け付けた直後は、前記第１デコード手段で得られる切替前の第１チャンネルのコンテンツ信号の出力を維持し、
前記第２デコード手段により切替後の第２チャンネルのコンテンツ信号の取得が可能となってから、該第２チャンネルのコンテンツ信号を出力することを特徴とするデジタル放送受信装置。
【請求項２】
請求項１に記載のデジタル放送受信装置において、
前記複数のチューナで得られたデコード前の受信信号を選択的に用いて合成可能な合成手段、
をさらに備え、
前記切替指示を受け付けた直後は、
前記複数のチューナの一部は前記第１チャンネルの放送信号を受信し、前記複数のチューナの他の少なくとも一部は前記第２チャンネルの放送信号を受信し、
前記合成手段は、同一のチャンネルの受信信号同士を用いて合成することを特徴とするデジタル放送受信装置。
【請求項３】
請求項２に記載のデジタル放送受信装置において、
前記切替指示を受け付けて前記出力手段が前記第２チャンネルのコンテンツ信号を出力した後は、
前記複数のチューナは全て、前記第２チャンネルの放送信号を受信し、
前記合成手段は、前記複数のチューナの全ての受信信号を用いて合成することを特徴とするデジタル放送受信装置。
【請求項４】
請求項２または３に記載のデジタル放送受信装置において、
前記合成手段は、各チューナの受信状態に応じた重み付けを行う最大比合成を行うものであり、
前記合成手段が前記複数のチューナの全ての受信信号を用いて最大比合成していた場合に、前記切替指示を受け付けたときは、
前記複数のチューナのうち、前記最大比合成における重み付けが比較的高いチューナに前記第１チャンネルの放送信号を受信させ、前記重み付けが比較的低いチューナに前記第２チャンネルの放送信号を受信させることを特徴とするデジタル放送受信装置。
【請求項５】
請求項１に記載のデジタル放送受信装置において、
前記切替指示を受け付け後に、該切替指示のキャンセル指示をユーザから受け付ける手段、
をさらに備え、
前記第１デコード手段は、前記出力手段が前記第２チャンネルのコンテンツ信号を出力した後も、前記第１チャンネルのコンテンツ信号の取得を維持し、
前記出力手段は、前記第２チャンネルのコンテンツ信号を出力した後に前記キャンセル指示を受け付けた場合は、前記第２チャンネルのコンテンツ信号に代えて前記第１デコード手段で得られる前記第１チャンネルのコンテンツ信号を出力することを特徴とするデジタル放送受信装置。
【請求項６】
請求項１ないし５のいずれかに記載のデジタル放送受信装置において、
前記切替指示を受け付けた時点から前記出力手段が前記第２チャンネルのコンテンツ信号を出力するまでの間に、チャンネル切替中であることを示すメッセージを前記出力手段が出力するコンテンツ信号に付加する手段、
をさらに備えることを特徴とするデジタル放送受信装置。
【請求項７】
請求項１ないし６のいずれかに記載のデジタル放送受信装置において、
前記受付手段は、前記切替指示を受け付けた時点から前記出力手段が前記第２チャンネルのコンテンツ信号を出力するまでの間は、前記切替指示を受け付けないことを特徴とするデジタル放送受信装置。
【請求項８】
請求項１ないし７のいずれかに記載のデジタル放送受信装置において、
前記第１デコード手段及び前記第２デコード手段は、前記受信信号に含まれるパケットの種類を識別する識別子を示す番組特定情報を前記受信信号から取得し、該番組特定情報が示す識別子に基づいてデコード対象のパケットの選択を行うものであることを特徴とするデジタル放送受信装置。
【請求項９】
請求項１ないし８のいずれかに記載のデジタル放送受信装置において、
前記コンテンツ信号は、映像信号および音声信号の少なくとも一つを含むことを特徴とするデジタル放送受信装置。
【請求項１０】
互いに異なるチャンネルの放送信号を受信可能な複数のチューナでデジタル放送の放送信号を受信してコンテンツ信号を取得するデジタル放送受信方法であって、
ユーザからチャンネルの切替指示を受け付ける受付工程と、
前記切替指示を受け付け後に、前記複数のチューナの一部で得られる切替前の第１チャンネルの受信信号をデコードしてコンテンツ信号を取得する第１デコード工程と、
前記切替指示を受け付け後に、前記複数のチューナの他の少なくとも一部で得られる切替後の第２チャンネルの受信信号をデコードしてコンテンツ信号を取得する第２デコード工程と、
前記切替指示を受け付けた直後に、前記第１デコード工程で得られる前記第１チャンネルのコンテンツ信号のコンテンツ出力装置への出力を維持する第１出力工程と、
前記第２デコード工程において前記第２チャンネルのコンテンツ信号の取得が可能となると、前記第１チャンネルのコンテンツ信号に代えて前記第２チャンネルのコンテンツ信号を前記コンテンツ出力装置に出力する第２出力工程と、
を備えることを特徴とするデジタル放送受信方法。
【発明の詳細な説明】
【技術分野】
【０００１】
本発明は、デジタル放送の放送信号を受信してユーザが視聴するコンテンツ信号を取得する技術に関する。
【背景技術】
【０００２】
地上デジタルテレビ放送に代表されるデジタル放送では、映像、音声、データ放送などのコンテンツのパケットが多重化されて放送信号に含まれている。このため、放送信号に含まれるパケットには、当該パケットの種類を識別できるようにＰＩＤ（Packet Identifier）と呼ばれる識別子が付与されている。
【０００３】
そして、放送信号には、そのＰＩＤを特定するために番組特定情報が含まれている。この番組特定情報には、ＰＭＴ（Program Map Table）、ＰＡＴ（Program Association Table）、及び、ＮＩＴ（Network Information Table）などがある。ＰＭＴは映像や音声などのパケットの種類とＰＩＤとの対応を示しており、ＰＡＴ及びＮＩＴはＰＭＴを特定するために必要な情報である。
【０００４】
デジタル放送の受信装置では、ユーザが視聴する映像信号や音声信号などのコンテンツ信号を取得するための処理の一つである多重分離処理において、受信信号から番組特定情報を取得し、その番組特定情報からＰＩＤを特定し、さらにＰＩＤに基づいてデコード対象とするパケットを選択的に分離することで、受信信号から必要なパケットを選択してデコードできるようになっている（例えば、特許文献１参照。）。
【先行技術文献】
【特許文献】
【０００５】
【特許文献１】特開２００６−１７３７６０号公報
【発明の概要】
【発明が解決しようとする課題】
【０００６】
ところで、デジタル放送の放送信号に基づくコンテンツ信号を取得するためには、上述した多重分離処理の他に、同調処理、復調処理、デインターリーブ処理、及び、デコード処理などの各種の処理が必要である。このような処理により、デジタル放送の受信装置においては、ユーザからチャンネルの切替指示を受け付けてから、実際にそのチャンネルの映像や音声などのユーザが視聴するコンテンツが、ディスプレイやスピーカなどのコンテンツ出力装置で出力されるまでには比較的多くの時間（平均的には、１．５秒程度）が必要となる。
【０００７】
特に多重分離処理では、ＮＩＴなどの所定の番組特定情報を受信信号から取得することが必要となる。ＮＩＴなどの番組特定情報は一定の周期（例えば、２秒毎など）で送信されることから、ワーストケースとしては多重分離処理のみで番組特定情報の送信周期に相当する時間が必要となる場合がある。
【０００８】
このように、チャンネルの切替指示を受け付けて、実際にそのチャンネルの映像や音声などのコンテンツが出力可能となるまでの間は比較的多くの時間が必要となる。そして、この期間においてはコンテンツの準備ができておらずコンテンツ信号の出力が不可能となるため、従来のデジタル放送装置ではコンテンツ出力装置においてコンテンツの出力（映像の表示や音声の発生）がなされず、無映像、無音声の無コンテンツの状態となっていた。このようにチャンネル切替時において無コンテンツの状態が発生すると、故障と区別がつきにくいことなどから、ユーザはいらだちやストレスを感じることになるため改善が要望されていた。
【０００９】
本発明は、上記課題に鑑みてなされたものであり、チャンネルの切替時に、無コンテンツの状態を挟むことなくコンテンツの切り替えができる技術を提供することを目的とする。
【課題を解決するための手段】
【００１０】
上記課題を解決するため、請求項１の発明は、デジタル放送の放送信号を受信してコンテンツ信号を取得するデジタル放送受信装置であって、互いに異なるチャンネルの放送信号を受信可能な複数のチューナと、前記複数のチューナで得られる一のチャンネルの受信信号をデコードしてコンテンツ信号を取得する第１デコード手段と、前記複数のチューナで得られる前記一のチャンネルとは異なるチャンネルの受信信号をデコードしてコンテンツ信号を取得する第２デコード手段と、前記第１デコード手段及び前記第２デコード手段で得られたコンテンツ信号のいずれかを選択的にコンテンツ出力装置に出力する出力手段と、ユーザからチャンネルの切替指示を受け付ける受付手段と、を備え、前記出力手段は、前記切替指示を受け付けた直後は、前記第１デコード手段で得られる切替前の第１チャンネルのコンテンツ信号の出力を維持し、前記第２デコード手段により切替後の第２チャンネルのコンテンツ信号の取得が可能となってから、該第２チャンネルのコンテンツ信号を出力する。
【００１１】
また、請求項２の発明は、請求項１に記載のデジタル放送受信装置において、前記複数のチューナで得られたデコード前の受信信号を選択的に用いて合成可能な合成手段、をさらに備え、前記切替指示を受け付けた直後は、前記複数のチューナの一部は前記第１チャンネルの放送信号を受信し、前記複数のチューナの他の少なくとも一部は前記第２チャンネルの放送信号を受信し、前記合成手段は、同一のチャンネルの受信信号同士を用いて合成する。
【００１２】
また、請求項３の発明は、請求項２に記載のデジタル放送受信装置において、前記切替指示を受け付けて前記出力手段が前記第２チャンネルのコンテンツ信号を出力した後は、前記複数のチューナは全て、前記第２チャンネルの放送信号を受信し、前記合成手段は、前記複数のチューナの全ての受信信号を用いて合成する。
【００１３】
また、請求項４の発明は、請求項２または３に記載のデジタル放送受信装置において、前記合成手段は、各チューナの受信状態に応じた重み付けを行う最大比合成を行うものであり、前記合成手段が前記複数のチューナの全ての受信信号を用いて最大比合成していた場合に、前記切替指示を受け付けたときは、前記複数のチューナのうち、前記最大比合成における重み付けが比較的高いチューナに前記第１チャンネルの放送信号を受信させ、前記重み付けが比較的低いチューナに前記第２チャンネルの放送信号を受信させる。
【００１４】
また、請求項５の発明は、請求項１に記載のデジタル放送受信装置において、前記切替指示を受け付け後に、該切替指示のキャンセル指示をユーザから受け付ける手段、をさらに備え、前記第１デコード手段は、前記出力手段が前記第２チャンネルのコンテンツ信号を出力した後も、前記第１チャンネルのコンテンツ信号の取得を維持し、前記出力手段は、前記第２チャンネルのコンテンツ信号を出力した後に前記キャンセル指示を受け付けた場合は、前記第２チャンネルのコンテンツ信号に代えて前記第１デコード手段で得られる前記第１チャンネルのコンテンツ信号を出力する。
【００１５】
また、請求項６の発明は、請求項１ないし５のいずれかに記載のデジタル放送受信装置において、前記切替指示を受け付けた時点から前記出力手段が前記第２チャンネルのコンテンツ信号を出力するまでの間に、チャンネル切替中であることを示すメッセージを前記出力手段が出力するコンテンツ信号に付加する手段、をさらに備えている。
【００１６】
また、請求項７の発明は、請求項１ないし６のいずれかに記載のデジタル放送受信装置において、前記受付手段は、前記切替指示を受け付けた時点から前記出力手段が前記第２チャンネルのコンテンツ信号を出力するまでの間は、前記切替指示を受け付けない。
【００１７】
また、請求項８の発明は、請求項１ないし７のいずれかに記載のデジタル放送受信装置において、前記第１デコード手段及び前記第２デコード手段は、前記受信信号に含まれるパケットの種類を識別する識別子を示す番組特定情報を前記受信信号から取得し、該番組特定情報が示す識別子に基づいてデコード対象のパケットの選択を行うものである。
【００１８】
また、請求項９の発明は、請求項１ないし８のいずれかに記載のデジタル放送受信装置において、前記コンテンツ信号は、映像信号および音声信号の少なくとも一つを含む。
【００１９】
また、請求項１０の発明は、互いに異なるチャンネルの放送信号を受信可能な複数のチューナでデジタル放送の放送信号を受信してコンテンツ信号を取得するデジタル放送受信方法であって、ユーザからチャンネルの切替指示を受け付ける受付工程と、前記切替指示を受け付け後に、前記複数のチューナの一部で得られる切替前の第１チャンネルの受信信号をデコードしてコンテンツ信号を取得する第１デコード工程と、前記切替指示を受け付け後に、前記複数のチューナの他の少なくとも一部で得られる切替後の第２チャンネルの受信信号をデコードしてコンテンツ信号を取得する第２デコード工程と、前記切替指示を受け付けた直後に、前記第１デコード工程で得られる前記第１チャンネルのコンテンツ信号のコンテンツ出力装置への出力を維持する第１出力工程と、前記第２デコード工程において前記第２チャンネルのコンテンツ信号の取得が可能となると、前記第１チャンネルのコンテンツ信号に代えて前記第２チャンネルのコンテンツ信号を前記コンテンツ出力装置に出力する第２出力工程と、を備えている。
【発明の効果】
【００２０】
請求項１ないし１０の発明によれば、チャンネルの切替指示を受け付けた直後は切替前のチャンネルのコンテンツ信号のコンテンツ出力装置への出力を維持し、切替後のチャンネルのコンテンツ信号の取得が可能となるとそのチャンネルのコンテンツ信号をコンテンツ出力装置へ出力するため、無コンテンツの状態を挟むことなくコンテンツ出力装置の出力を第１チャンネルのコンテンツから第２チャンネルのコンテンツに切り替えできる。
【００２１】
また、特に請求項２の発明によれば、同一のチャンネルの受信信号同士を合成してからデコードすることで、安定したコンテンツをコンテンツ出力装置に出力させることができる。
【００２２】
また、特に請求項３の発明によれば、切替後のチャンネルのコンテンツ信号の出力が可能となってからは、全てのチューナに切替後のチャンネルの放送信号を受信させ、それらのチューナの全ての受信信号を用いて合成するため、切替後のチャンネルのコンテンツをコンテンツ出力装置に安定して出力させることができる。
【００２３】
また、特に請求項４の発明によれば、最大比合成における重み付けが比較的高いチューナに第１チャンネルの放送信号を受信させ、重み付けが比較的低いチューナに第２チャンネルの放送信号を受信させるため、切替前のチャンネルのコンテンツを大きく劣化させることなく、コンテンツ出力装置に出力させることができる。
【００２４】
また、特に請求項５の発明によれば、切替後のチャンネルのコンテンツ信号の出力後にも切替前のチャンネルのコンテンツ信号の取得を維持するため、キャンセル指示があった場合に瞬時に切替前のチャンネルのコンテンツ信号を出力できる。
【００２５】
また、特に請求項６の発明によれば、チャンネルの切替指示を受け付けたことを、ユーザに認識させることができる。
【００２６】
また、特に請求項７の発明によれば、チャンネルの切替指示を重複して受け付けることを防止できる。
【００２７】
また、特に請求項８の発明によれば、比較的多くの時間が必要となる番組特定情報を受信信号から取得する場合であっても、無コンテンツの状態を挟むことなくコンテンツの切り替えができる。
【図面の簡単な説明】
【００２８】
【図１】図１は、デジタル放送受信装置の構成を示すブロック図である。
【図２】図２は、デジタル放送受信装置の基本的な動作の流れを示す図である。
【図３】図３は、番組特定情報が周期的に送信される様子を示す図である。
【図４】図４は、チャンネルの切替指示があった場合のデジタル放送受信装置の動作の流れを示す図である。
【図５】図５は、デジタル放送受信装置の状態を模式的に示す図である。
【図６】図６は、デジタル放送受信装置の状態を模式的に示す図である。
【図７】図７は、デジタル放送受信装置の状態を模式的に示す図である。
【図８】図８は、デジタル放送受信装置の状態を模式的に示す図である。
【図９】図９は、第１の実施の形態のデジタル放送受信装置の動作を示すタイムチャートである。
【図１０】図１０は、第２の実施の形態のデジタル放送受信装置の動作を示すタイムチャート図である。
【発明を実施するための形態】
【００２９】
以下、図面を参照しつつ本発明の実施の形態について説明する。
【００３０】
＜１．第１の実施の形態＞
＜１−１．構成＞
図１は、第１の実施の形態のデジタル放送受信装置１の構成を示すブロック図である。このデジタル放送受信装置１は、自動車などの車両に搭載されるものであり、地上デジタルテレビ放送などのデジタル放送の放送信号を受信し、その放送信号に基づく映像信号や音声信号などのコンテンツ信号を取得して、映像や音声を車室内のユーザに提供する機能を有している。
【００３１】
図１に示すように、デジタル放送受信装置１は主に、放送信号を受信する受信部２と、受信された受信信号を復調する復調部３と、復調された受信信号をデコードする復号部４と、デコードにより得られたコンテンツ信号（映像信号及び音声信号）を出力する出力切替部５と、ユーザが視聴するコンテンツ（映像及び音声）を出力する表示装置６とを備えている。表示装置６は、映像を表示する液晶ディスプレイと、音声を発生するスピーカとを備えたコンテンツ出力装置として機能する。この表示装置６のディスプレイの画面がユーザである車両の乗員から視認できるように、デジタル放送受信装置１は車両のインストルメントパネルなどに設置される。
【００３２】
受信部２は、４つのチューナ２２を備えている。４つのチューナ２２はそれぞれアンテナ２１と接続されており、互いに独立して特定の周波数に同調して放送信号を受信することが可能となっている。すなわち、４つのチューナ２２は互いに異なるチャンネルの放送信号を受信でき、受信部２では最大４つのチャンネルの放送信号を受信可能となっている。
【００３３】
復調部３は、受信部２で得られた受信信号を復調して、トランスポートストリームの受信信号を得るものである。復調部３は、合成切替部３３と最大比合成部３４とを備えており、合成切替部３３より上流側に４つの処理系統を備え、最大比合成部３４よりも下流側に２つの処理系統を備えている。
【００３４】
合成切替部３３より上流側の４つの処理系統（ブランチ）は、受信部２の４つのチューナ２２で取得された受信信号を独立して処理するために設けられる。各処理系統は、ＡＤコンバータ（ＡＤＣ）３１と、ＦＦＴ部３２とを備えている。ＡＤコンバータ３１は、チューナ２２が受信したアナログの受信信号をデジタルの受信信号に変換する。また、ＦＦＴ部３２は、高速フーリエ変換（Fast Fourier Transform）を行って、時間軸上の受信信号を周波数軸上の受信信号に変換する。
【００３５】
４つのチューナ２２にそれぞれ対応する４つの処理系統で処理された受信信号は、合成切替部３３を介して最大比合成部３４に入力される。最大比合成部３４は、複数のチューナ２２で得られた受信信号のそれぞれについて、受信状態に応じた重み付けを行い、それらを加算する最大比合成を行う。重み付けは、受信信号の振幅レベルに比例し、雑音電力に逆比例するように設定される。同一チャンネルを受信した複数のチューナの受信信号を用いてこのような最大比合成処理を行うことにより、当該チャンネルの受信信号のノイズが低減され、その後の処理で安定したコンテンツ信号が得られる。
【００３６】
最大比合成部３４は、最大比合成を行う処理部として２つの合成部（第１合成部３４１及び第２合成部３４２）を備えている。したがって、最大比合成部３４は、異なる２つのチャンネルの受信信号の最大比合成を同時に実行することが可能となっている。
【００３７】
合成切替部３３は、スイッチングを行って、４つのチューナ２２の受信信号を選択的に、最大比合成部３４の２つの合成部３４１，３４２のいずれかに入力することができる。したがって、合成切替部３３は、４つのチューナ２２の全ての受信信号を２つの合成部３４１，３４２の一方のみに入力することや、４つのチューナ２２の一部の受信信号を２つの合成部３４１，３４２の一方に入力して残りの受信信号を２つの合成部３４１，３４２の他方に入力することも可能である。なお、４つのチューナ２２のうちの１つの受信信号のみを２つの合成部３４１，３４２の一方に入力した場合は、最大比合成がなされずそのまま出力される。
【００３８】
最大比合成部３４より下流側の２つの処理系統は、最大比合成部３４の２つの合成部３４１，３４２からそれぞれ出力される受信信号を独立して処理するために設けられている。各処理系統は、デインターリーブ（ＤＩＬ）部３５と、誤り訂正部３６とを備えている。
【００３９】
デインターリーブ部３５は、周波数デインターリーブ処理と、時間デインターリーブ処理とを行う。周波数デインターリーブ処理では、セグメント内及びセグメント間で入れ替られえたキャリアが元に戻される。また、時間デインターリーブ処理では、同一セグメント内で入れ替えられたシンボルが元に戻される。誤り訂正部３６は、ビタビ復号処理とＲＳ復号処理とを行って、受信信号の誤り訂正を行う。この誤り訂正後の受信信号は、映像、音声、データ放送などのコンテンツそれぞれのパケットが多重化されたトランスポートストリーム（ＴＳ）となる。
【００４０】
復号部４は、トランスポートストリームとなった受信信号をデコードして、映像信号や音声信号などのコンテンツ信号を取得するものである。復号部４は、最大比合成部３４の２つの合成部３４１，３４２から出力され誤り訂正がなされた受信信号を独立して処理するために、２つのデコード部（第１デコード部４１及び第２デコード部４２）を備えている。したがって、復号部４は、異なる２つのチャンネルの受信信号のデコードを同時に実行することが可能となっている。
【００４１】
各デコード部４１，４２は、多重分離部４３とＭＰＥＧデコーダ４４とを備えている。多重分離部４３は、各パケットに付与された識別子であるＰＩＤに基づいて、受信信号を映像、音声、データ放送などのコンテンツ毎のパケットに分離する。これにより映像及び音声のパケットがデコード対象として選択され、下流側のＭＰＥＧデコーダ４４に入力される。多重分離部４３は、各パケットのＰＩＤを特定するために必要なＰＭＴ、ＰＡＴ、ＮＩＴなどの番組特定情報もトランスポートストリームとなった受信信号から取得する。ＭＰＥＧデコーダ４４は、入力された映像及び音声のパケットをデコードし、コンテンツ信号である映像信号及び音声信号を取得する。
【００４２】
出力切替部５は、復号部４で得られたコンテンツ信号を表示装置６に出力する。これにより、表示装置６では、映像が表示されるとともに音声が発生される。出力切替部５は、スイッチングを行って、復号部４の２つのデコード部４１，４２のいずれか一方のみのコンテンツ信号を選択的に表示装置６に出力する。したがって、表示装置６では、第１デコード部４１及び第２デコード部４２のいずれか一方のみのコンテンツ信号に基づくコンテンツ（映像及び音声）が出力される。
【００４３】
また、デジタル放送受信装置１は、装置全体を制御する制御部１０を備えている。制御部１０は、上述した受信部２、復調部３、復号部４、出力切替部５及び表示装置６の各部と電気的に接続されており、各部の動作を統括的に制御する。制御部１０は、ＣＰＵ、ＲＡＭ及びＲＯＭなどを備えたコンピュータとして構成され、所定のプログラムに従ってＣＰＵが演算処理を行うことで各種の制御機能が実現される。このようにして実現される制御部１０の機能には、受信部２の各チューナが受信するチャンネルの設定機能、合成切替部３３によるスイッチングの制御機能、及び、出力切替部５によるスイッチングの制御機能などが含まれている。
【００４４】
さらに、デジタル放送受信装置１は、ユーザから各種の指示を受け付ける操作部１１を備えている。操作部１１での操作内容は信号として制御部１０に入力される。制御部１０は、この信号を受け付けてユーザ操作に応じた制御を行う。ユーザは、操作部１１を操作することで、表示装置６で視聴しているチャンネルを切り替える切替指示などを行うことが可能である。
【００４５】
＜１−２．基本動作＞
次に、デジタル放送受信装置１の基本的な動作の流れについて説明する。図２は、受信すべきチャンネルを設定してから、そのチャンネルの映像及び音声のコンテンツが表示装置６で出力されるまでのデジタル放送受信装置１の基本的な動作の流れを示す図である。なお、この説明では、４つのチューナ２２の全てを用いて一つのチャンネルの放送信号を受信するものとして説明する。
【００４６】
まず、操作部１１を介してユーザから所望のチャンネルの指示がなされると、制御部１０により当該チャンネルに係る周波数の放送信号を受信する設定が受信部２になされる（ステップＳ１１）。これを受けて、受信部２の４つのチューナ２２ではそれぞれ、指示された周波数に対して同調し、当該周波数のチャンネルの放送信号を受信する（ステップＳ１２）。
【００４７】
各チューナ２２で受信されたアナログの受信信号は、復調部３に入力され、ＡＤコンバータ３１でデジタルの受信信号に変換される（ステップＳ１３）。さらに、デジタルに変換された受信信号は、ＦＦＴ部３２によりＦＦＴ処理（高速フーリエ変換）がなされて、周波数軸上の受信信号に変換される（ステップＳ１４）。
【００４８】
ＦＦＴ処理がなされた受信信号は、合成切替部３３を介して最大比合成部３４の２つの合成部３４１，３４２の一方に入力される。最大比合成部３４は、入力された４つのチューナ２２の受信信号を用いて最大比合成を行う（ステップＳ１５）。最大比合成された受信信号は、２つのデインターリーブ部３５の一方に入力されて周波数デインターリーブ処理と時間デインターリーブ処理とがなされる（ステップＳ１６）。さらに、受信信号は、その下流側の誤り訂正部３６に入力されて誤り訂正がなされ、トランスポートストリームとされる（ステップＳ１７）。
【００４９】
トランスポートストリームとなった受信信号は、復号部４の２つのデコード部４１，４２の一方に入力される。そして、多重分離部４３において、各パケットに付与された識別子であるＰＩＤに基づいて、受信信号が映像、音声、データ放送などのコンテンツ毎のパケットに分離される（ステップＳ１８）。そして、映像及び音声のパケットは、ＭＰＥＧデコーダ４４に入力されてデコードがなされ、映像信号及び音声信号が取得される（ステップＳ１９）。取得された映像信号及び音声信号は、出力切替部５を介して表示装置６に出力される。これにより、表示装置６おいてに映像が表示され、音声が発生される（ステップＳ２０）。
【００５０】
以上が、受信すべきチャンネルを設定してから、そのチャンネルのコンテンツが表示装置６で出力されるまでの基本的な動作の流れであるが、これらの処理の全てを行うための所要時間は約１．５秒程度となる。例えば、同調処理（ステップＳ１２）やデインターリーブ処理（ステップＳ１６）は比較的多くの時間がかかり、それぞれ約２００ｍｓ程度の時間が必要となる。
【００５１】
また、多重分離処理では、ＰＩＤの特定のために番組特定情報が必要となるが、番組特定情報は一定の周期で送信されることから、多重分離処理のみで比較的多くの時間が必要となる場合がある。
【００５２】
番組特定情報には、ＰＭＴ、ＰＡＴ、ＮＩＴなどがある。ＰＭＴは、映像や音声などのパケットの種類とＰＩＤとの対応を示している。一方、ＰＡＴ及びＮＩＴはＰＭＴを特定するために必要となる情報である。多重分離処理においてパケットを選択するためにＰＩＤを得るには、まず、ＰＡＴ及びＮＩＴを取得してＰＭＴを特定し、さらにそのＰＭＴからＰＩＤを取得するといった処理過程を経る必要がある。
【００５３】
一方で、番組特定情報は一定の周期で送信される。例えばＮＩＴは、最小１秒〜最大３秒の間の一定の周期で送信するというように定められており、平均的には約２秒周期で送信されている。このため、図３に示すように、ワーストケースとしては、ＮＩＴが送信された直後のタイミングＴｘに受信すべきチャンネルの設定があったとすると、次に送信されるＮＩＴを取得できるタイミングＴｙまで処理を待機することになる。このため、多重分離処理のみでＮＩＴの送信周期Ｔ（例えば、２秒）の処理時間が必要となる場合もある。
【００５４】
据え置き型のデジタル放送受信装置などでは、その設置された地域で受信可能な全てのチャンネルのＮＩＴを予め取得して内部メモリなどに記憶させておくことも可能である。しかしながら、本実施の形態のデジタル放送受信装置１のように、車載型で移動中の利用を想定したデジタル放送受信装置では受信する地域が一定ではないため、このような対応をとることはできず、多重分離処理で比較的多くの処理時間が必要となる。
【００５５】
＜１−３．チャンネル切替動作＞
チャンネル切替時においても、チャンネルの切替指示を行ってから、そのチャンネルのコンテンツ（映像及び音声）が表示装置６で出力されるまでは、図２に示す処理とほぼ同様の処理が必要であるため、比較的多くの時間（約１．５秒程度）が必要となる。これに対応するため、本実施の形態のデジタル放送受信装置１では、チャンネルの切替指示があったとしても切替前のチャンネルのコンテンツの出力を維持し、切替後のチャンネルのコンテンツ信号の取得が可能となった時点で切替後のチャンネルのコンテンツに切り替えることで、無映像、無音声の無コンテンツの状態をなくすようにしている。
【００５６】
図４は、チャンネルの切替指示があった場合のデジタル放送受信装置１の動作の流れを示す図である。この処理は、特に言及しない限り制御部１０の制御により実行される。また、図５〜図８は、この動作中におけるデジタル放送受信装置１の状態を模式的に示す図である。図５〜図８においては、便宜上、デジタル放送受信装置１の主な構成のみを示し、一部の構成を省略している。図４に示す動作の開始時点では、ある一つのチャンネル（以下、「第１チャンネル」という。）の放送信号を受信して、この第１チャンネルのコンテンツが表示装置６で出力されているものとする。
【００５７】
図５は、この動作の開始時点のデジタル放送受信装置１の状態を示す図である。図５に示すように、４つのチューナ２２の全てで第１チャンネルの放送信号が受信されている。４つのチューナ２２で得られた受信信号は全て、合成切替部３３により、最大比合成部３４の第１合成部３４１に入力される。これにより、最大比合成部３４では、４つのチューナ２２の全てで得られた第１チャンネルの受信信号を用いて最大比合成がなされる。最大比合成された受信信号は、第１デコード部４１においてデコードされ、第１チャンネルのコンテンツ信号が取得される。取得された第１チャンネルのコンテンツ信号は出力切替部５により表示装置６に出力される。これにより、表示装置６では、第１チャンネルのコンテンツが出力されている。なお、この状態においては、第２合成部３４２及び第２デコード部４２において処理はなされていない。
【００５８】
このような状態において、第１チャンネルとは異なるチャンネル（以下、「第２チャンネル」という。）への切替指示が操作部１１を介して受け付けられる（ステップＳ２１）。チャンネルの切替指示が受け付けられると、まず、制御部１０により、操作部１１においてユーザから以降のチャンネルの切替指示を受け付けないように制御される。すなわち、以降のチャンネルの切替指示が無効化される（ステップＳ２２）。
【００５９】
また、チャンネルの切替指示を受けて、第１チャンネルのコンテンツ信号を表示装置６への出力する処理（ステップＳ２３）と、第２チャンネルのコンテンツ信号の出力を準備する処理（ステップＳ２４）とが並行して実行される。すなわち、チャンネルの切替指示を受け付けた直後においては、表示装置６の第１チャンネルのコンテンツの出力は維持されると同時に、第２チャンネルのコンテンツの出力が準備されることになる。
【００６０】
図６は、チャンネルの切替指示を受け付けた直後のデジタル放送受信装置１の状態を示す図である。図６に示すように、４つのチューナ２２のうちの２つのチューナ２２において第１チャンネルの放送信号が受信される一方で、残りの２つのチューナ２２において第２チャンネルの放送信号が受信される。以下、第１チャンネルの放送信号を受信するチューナ２２のグループを「第１チューナグループ」、第２チャンネルの放送信号を受信するチューナ２２のグループを「第２チューナグループ」という。
【００６１】
第１チューナグループで得られた第１チャンネルの受信信号は、合成切替部３３により最大比合成部３４の第１合成部３４１に入力される。第１合成部３４１では、この第１チャンネルの受信信号を用いて最大比合成がなされる。第１合成部３４１で最大比合成された受信信号は、第１デコード部４１においてデコードされる。これにより取得された第１チャンネルのコンテンツ信号が、出力切替部５により表示装置６に出力される。
【００６２】
その一方で、第２チューナグループで得られた受信信号は、合成切替部３３により最大比合成部３４の第２合成部３４２に入力される。第２合成部３４２では、この第２チャンネルの受信信号を用いて最大比合成がなされる。第２合成部３４２で最大比合成された受信信号は、第２デコード部４２においてデコードされる。このようにして、第２チャンネルのコンテンツ信号を出力するための準備処理がなされることになる。
【００６３】
４つのチューナ２２のうちのいずれを第１チューナグループ、第２チューナグループにするかは、制御部１０により決定される。制御部１０は、チャンネル切替指示の直前の４つのチューナ２２の受信信号を用いた最大比合成において、重み付けが比較的高い２つのチューナ２２を第１チューナグループとし、重み付けが比較的低い２つのチューナ２２を第２チューナグループとする。
【００６４】
チャンネルの切替指示前に４つのチューナ２２の最大比合成で得られる第１チャンネルのコンテンツは、チャンネルの切替指示後は２つのチューナ２２のみの最大比合成で得られることになるため、ある程度の劣化が予想される。しかしながら、このようにチャンネルの切替指示前の最大比合成における重み付けが比較的高いチューナ２２にそのまま第１チャンネルの放送信号を受信させることで、第１チャンネルのコンテンツの大きな劣化が防止されることになる。また一方で、チャンネルの切替指示前の最大比合成における重み付けが比較的低いチューナ２２に、第１チャンネルとは異なる第２チャンネルの放送信号を受信させる。チューナ２２の受信状態は、受信するチャンネルが変われば改善する可能性があることから、このようにすることで第２チャンネルのコンテンツを安定して取得できる可能性がある。このような処理は、４つのチューナ２２の全ての受信信号を用いて最大比合成を行っている場合に、チャンネルの切替指示を受け付けた場合に実行できる。
【００６５】
このようにして、第１チャンネルのコンテンツ信号の出力を維持しつつ第２チャンネルのコンテンツ信号の出力の準備がなされた結果、第２チャンネルのコンテンツ信号の出力が可能となると（図４のステップＳ２５にてＹｅｓ）、制御部１０の制御により出力切替部５がコンテンツ信号の出力の切替を行う。すなわち、出力切替部５は、第２チャンネルのコンテンツ信号の取得が可能となると、第１チャンネルのコンテンツ信号に代えて、第２チャンネルのコンテンツ信号を表示装置６に出力する（ステップＳ２６）。これにより、表示装置６においては、無コンテンツの状態を挟むことなく、第１チャンネルのコンテンツ（映像及び音声）から第２チャンネルのコンテンツ（映像及び音声）に瞬時に切り替えることができる。
【００６６】
図７は、出力切替部５がコンテンツ信号の出力の切替を行った直後のデジタル放送受信装置１の状態を示す図である。図７に示すように、第１チャンネルのコンテンツ信号に代えて、第２チューナグループの受信信号から得られた第２チャンネルのコンテンツ信号が出力切替部５により表示装置６に出力される。
【００６７】
その後、操作部１１においてユーザからチャンネルの切替指示を受け付け可能に制御される。すなわち、以降のチャンネルの切替指示が有効化される（ステップＳ２７）。チャンネル切替指示を行ったにもかかわらず、切替前の第１チャンネルのコンテンツの出力が維持されると、チャンネル切替指示が受け付けられなかったとユーザが誤認識して、繰り返してチャンネルの切替指示を行う可能性がある。このため、チャンネルの切替指示を受け付けた時点から第２チャンネルのコンテンツ信号を出力するまでの間は、チャンネルの切替指示を受け付けないようにすること（ステップＳ２２，Ｓ２７）で、チャンネルの切替指示をユーザから重複して受け付けることを防止できる。
【００６８】
また、チャンネルの切替指示を受け付けた時点から第２チャンネルのコンテンツ信号を出力するまでの間は、制御部１０の制御により、表示装置６への出力される第１チャンネルの映像信号に「チャンネル切替中です。」というメッセージを付加するようにしてもよい。このようなチャンネル切替中であることを示すメッセージを表示することで、チャンネル切替指示が受け付けられたことをユーザに認識させることができる。
【００６９】
第２チャンネルのコンテンツ信号を表示装置６に出力した後は、図８に示すように、制御部１０の制御により、４つのチューナ２２の全てで第２チャンネルが受信される（ステップＳ２８）。４つのチューナ２２で得られた受信信号は全て、合成切替部３３により、最大比合成部３４の第２合成部３４２に入力される。これにより、最大比合成部３４では、４つのチューナ２２の全てで得られた第２チャンネルの受信信号を用いて最大比合成がなされる。最大比合成された受信信号は、第２デコード部４２においてデコードされ、第２チャンネルのコンテンツ信号が取得される。取得された第２チャンネルのコンテンツ信号は出力切替部５により表示装置６に出力される。これにより、表示装置６において、第２チャンネルのコンテンツが安定して出力できる。
【００７０】
図９は、チャンネルの切替指示があった場合におけるデジタル放送受信装置１の各部の動作を示すタイムチャートである。この図においては、時刻Ｔ１においてチャンネルの切替指示がなされている。
【００７１】
時刻Ｔ１までは、４つのチューナ２２の全て（第１チューナグループ及び第２チューナグループの双方）で第１チャンネルの放送信号が受信されている。また、第１デコード部４１において第１チャンネルの受信信号のデコードがなされる一方で、第２デコード部４１においては処理はなされていない。そして、出力切替部５からは、第１デコード部４１で得られた第１チャンネルのコンテンツ信号が出力されている。
【００７２】
時刻Ｔ１において、チャンネルの切替指示が受け付けられると、４つのチューナ２２は第１チューナグループ及び第２チューナグループに分離され、第１チューナグループでは第１チャンネルの放送信号の受信が維持される一方、第２チューナグループでは第２チャンネルの放送信号の受信が開始される。このとき、第１デコード部４１における第１チャンネルの受信信号のデコードは維持され、出力切替部５においても第１チャンネルのコンテンツ信号の出力が維持される。このため、表示装置６では、第１チャンネルのコンテンツが出力されている。
【００７３】
一方で、第２チューナグループで受信された第２チャンネルの受信信号は、復調部３により処理される。時刻Ｔ２において、復調部３の処理によりトランスポートストリームとなった受信信号が第２デコード部４２に入力されると、第２デコード部４２において第２チャンネルの受信信号のデコードが開始される。
【００７４】
そして、時刻Ｔ３において、第２デコード部４２のデコードにより、第２チャンネルのコンテンツ信号の取得が可能となると、出力切替部５は、第２チャンネルのコンテンツ信号を出力する。これにより、表示装置６の出力が、第１チャンネルのコンテンツから第２チャンネルのコンテンツに瞬時に切り替えられる。また、第１デコード部４１のデコードが中止されるとともに、第１チューナグループであったチューナ２２においても第２チャンネルの放送信号の受信が開始される。これにより以降、４つのチューナ２２の全てで第２チャンネルの放送信号が受信されることになる。
【００７５】
以上のように、デジタル放送受信装置１では、２つのデコード部４１，４２を備え、異なる２つのチャンネルの受信信号のデコードを同時に実行することが可能となっている。チャンネルの切替指示を受け付けた直後は、出力切替部５は、２つのデコード部４１，４２の一方で得られる切替前の第１チャンネルのコンテンツ信号の表示装置６への出力を維持する。そして、２つのデコード部４１，４２の他方で切替後の第２チャンネルのコンテンツ信号の取得が可能となってから、出力切替部５は第２チャンネルのコンテンツ信号を表示装置６へ出力する。これにより、表示装置６においては、無コンテンツの状態を挟むことなく、第１チャンネルのコンテンツから第２チャンネルのコンテンツに瞬時に切り替えできる。したがって、チャンネルの切替指示を行ってから無コンテンツの状態が無くなるため、ユーザが感じるいらだちやストレスを軽減できる。
【００７６】
なお、チャンネルの切替指示を行ったときの無コンテンツの状態の画面を防止するため、無コンテンツの状態の画面に変えて、予め用意された映像やメッセージを表示することも考えられる。これに対して、切替前のチャンネルのコンテンツはユーザが選択したコンテンツであるため、本実施の形態のように切替前のチャンネルのコンテンツをできるだけ長く表示させた方が、ユーザにとっては所望の情報を得ることができるため、いらだちやストレスを感じることが少ない。
【００７７】
また、デジタル放送受信装置１では、チャンネルの切替指示が受け付けられると、４つのチューナ２２は第１チューナグループ及び第２チューナグループに分離され、第１チューナグループでは第１チャンネルの放送信号の受信が維持される一方、第２チューナグループでは第２チャンネルの放送信号の受信が開始される。そして、最大比合成部３４では、第１チャンネルの受信信号同士を最大比合成すると同時に、第２チャンネルの受信信号同士も最大比合成する。このため、第１チャンネル及び第２チャンネルの双方ともに、比較的安定したコンテンツを取得できる。
【００７８】
また、デジタル放送受信装置１では、チャンネル切替指示の直前の最大比合成における重み付けが比較的高いチューナ２２に第１チャンネルの放送信号を受信させ、重み付けが比較的低いチューナ２２に第２チャンネルの放送信号を受信させる。このため、切替前のチャンネルのコンテンツを大きく劣化させることなく、表示装置６に出力させることができる。
【００７９】
また、デジタル放送受信装置１では、切替後の第２チャンネルのコンテンツ信号の出力が可能となってからは、４つのチューナ２２の全てで第２チャンネルの放送信号を受信させ、それらのチューナ２２の全ての受信信号を用いて最大比合成を行う。このため、切替後の第２チャンネルのコンテンツを表示装置６に安定して出力させることができる。
【００８０】
＜２．第２の実施の形態＞
次に、第２の実施の形態について説明する。第２の実施の形態におけるデジタル放送受信装置１の構成・処理は、第１の実施の形態とほぼ同様であるが一部のみが相違しているため、以下、第１の実施の形態との相違点を中心に説明する。
【００８１】
第２の実施の形態では、チャンネルの切替指示を行った後に、その切替指示をキャンセルするキャンセル指示を操作部１１を介して行うことができるようになっている。例えば、第１チャンネルのコンテンツの出力状態で第２チャンネルへの切替指示を行った後に、操作部１１の所定のボタンを押下するなどしてキャンセル指示を行うと、再び第１チャンネルのコンテンツの出力状態に戻すことができる。キャンセル指示を行った際に、表示装置６において第２チャンネルのコンテンツが出力されていたとしても、瞬時に第１チャンネルのコンテンツの出力に切り替えることができるようになっている。
【００８２】
図１０は、第２の実施の形態における、チャンネルの切替指示があった場合のデジタル放送受信装置１の各部の動作を示すタイムチャートである。この図においては、時刻Ｔ１１においてチャンネルの切替指示がなされている。
【００８３】
図１０に示す時刻Ｔ１３以前の動作は、図９に示す第１の実施の形態のデジタル放送受信装置１の時刻Ｔ３以前の動作と同様である。
【００８４】
すなわち、時刻Ｔ１１までは、４つのチューナ２２の全て（第１チューナグループ及び第２チューナグループの双方）で第１チャンネルの放送信号が受信されている。時刻Ｔ１１において、チャンネルの切替指示が受け付けられると、第１チューナグループでは第１チャンネルの放送信号の受信が維持される一方、第２チューナグループでは第２チャンネルの放送信号の受信が開始される。また、出力切替部５において第１チャンネルのコンテンツ信号の出力が維持される。時刻Ｔ１２において、トランスポートストリームとなった受信信号が第２デコード部４２に入力されると、第２デコード部４２において第２チャンネルの受信信号のデコードが開始される。
【００８５】
そして、時刻Ｔ１３において、第２チャンネルのコンテンツ信号の取得が可能となると、出力切替部５は第２チャンネルのコンテンツ信号を出力する。これにより、表示装置６の出力が、第１チャンネルのコンテンツから第２チャンネルのコンテンツに瞬時に切り替えられる。
【００８６】
この際、第１チューナグループによる第１チャンネルの放送信号の受信が維持されるとともに、第１デコード部４１での第１チャンネルの受信信号のデコードも維持される。すなわち、出力切替部５が第２チャンネルのコンテンツ信号を出力した後も、第１デコード部４１で第１チャンネルのコンテンツ信号の取得が維持されることになる。
【００８７】
そして、この状態で、時刻Ｔ１４において、キャンセル指示が受け付けられると、出力切替部５は、第２チャンネルのコンテンツ信号に代えて、第１デコード部４１で得られる第１チャンネルのコンテンツ信号を表示装置６に出力する。これにより、表示装置６の出力が、第２チャンネルのコンテンツから第１チャンネルのコンテンツに瞬時に切り替えられることになる。
【００８８】
あるチャンネルを視聴中のユーザは、例えば、天気予報やスポーツの結果など、特定の情報のみを得るために、他のチャンネルに切り替えることがある。この場合、当該情報が得られれば、ユーザはチャンネルを元のチャンネルに戻すことが多い。本実施の形態のデジタル放送受信装置１では、第２チャンネルのコンテンツ信号の出力後にも第１デコード部４１で第１チャンネルのコンテンツ信号の取得が維持されていることから、キャンセル指示を受け付けた場合には、表示装置６の出力を第２チャンネルのコンテンツから第１チャンネルのコンテンツに瞬時に戻すことができる。このため、ユーザは、特定の情報のみを得るためのチャンネルの切替を手軽に実行することができる。
【００８９】
なお、第２チャンネルのコンテンツ信号の出力前（時刻Ｔ１３以前）にキャンセル指示を受け付けた場合には、その時点では表示装置６において第１チャンネルのコンテンツの出力が維持されていることから、そのまま第１チャンネルのコンテンツの出力を継続すればよい。また、第２チャンネルのコンテンツ信号の出力後（時刻Ｔ１３以降）に所定時間（例えば３分など）が経過してもキャンセル指示が無い場合は、ユーザのキャンセルの意思は無いと判断して、４つのチューナ２２の全てで第２チャンネルの放送信号を受信させ、それらのチューナ２２の全ての受信信号を用いて最大比合成を行うようにすればよい。
【００９０】
＜３．変形例＞
以上、本発明の実施の形態について説明してきたが、この発明は上記実施の形態に限定されるものではなく様々な変形が可能である。以下では、このような変形例について説明する。もちろん、以下で説明する形態を適宜に組み合わせてもよい。
【００９１】
上記実施の形態では、デジタル放送受信装置１は、コンテンツ出力装置である表示装置６を備えるものとしていたが、コンテンツ出力装置は別の装置として構成されていてもよい。また、デジタル放送受信装置１は、操作部１１でユーザ操作を受け付けると説明したが、他の装置で受け付けたユーザ操作の内容を示す信号を入力することでユーザ操作を受け付けるものであってもよい。
【００９２】
また、上記実施の形態では、表示装置６が、映像の表示及び音声の発生の双方の機能を担うコンテンツ出力装置であるとしていたが、映像を表示するコンテンツ出力装置と、音声を発生するコンテンツ出力装置とが別々に構成されていてもよい。
【００９３】
また、上記実施の形態では、切替後の第２チャンネルの映像信号及び音声信号の双方の取得が可能となってから、出力切替部５が第２チャンネルのコンテンツ信号を出力すると説明した。これに対して、第２チャンネルの映像信号及び音声信号のうちのいずれかの取得が可能となったことを条件に、出力切替部５は第２チャンネルのコンテンツ信号を出力するようにしてもよい。この場合、コンテンツ信号のうち出力可能となったもののみ（映像信号及び音声信号のいずれか一方のみ）を出力する場合もあり得る。
【００９４】
また、上記実施の形態では、４つのチューナ２２を第１及び第２チューナグループに分ける際に各チューナグループに２つのチューナ２２を割り当てていたが、一方のチューナグループに一部のチューナ２２を割り当て、他方のチューナグループに他の少なくとも一部のチューナ２２を割り当てるようにすればよい。例えば、第１チューナグループに３つのチューナ２２を割り当て、第２チューナグループに１つのチューナ２２を割り当てることができる。また、全てのチューナ２２を割り当てる必要もなく、第１チューナグループに２つのチューナ２２を割り当て、第２チューナグループに１つのチューナ２２のみを割り当てることもできる。
【００９５】
また、チューナ２２の数、及び、そのチューナ２２の受信信号を処理する処理系統（ブランチ）の数は４つに限定されず２以上であればよい。
【符号の説明】
【００９６】
１    デジタル放送受信装置
１０    制御部
１１    操作部
２２    チューナ
３４    最大比合成部
４１    第１デコード部
４２    第２デコード部
４３    多重分離部
４４    デコーダ
５    出力切替部
６    表示装置
【図１】
2011029873.tif 000003
【図２】
2011029873.tif 000004
【図３】
2011029873.tif 000005
【図４】
2011029873.tif 000006
【図５】
2011029873.tif 000007
【図６】
2011029873.tif 000008
【図７】
2011029873.tif 000009
【図８】
2011029873.tif 000010
【図９】
2011029873.tif 000011
【図１０】
2011029873.tif 000012